(57)【特許請求の範囲】
【請求項１】
雄型管継手部材を受け入れて結合される雌型管継手部材であって、
一端から他端に貫通する流体通路を有し、雄型管継手部材を該一端から受け入れる筒状のハウジングと、
該ハウジングの該流体通路の長手軸線に対して横断する第１の方向で変位することにより該流体通路の開閉を行う弁体と、
該ハウジングの外周面の周りを囲むように設けられ該外周面上で摺動可能に取り付けられた弁操作部材と、
該ハウジングを該第１の方向で貫通して直線的に延びるガイド孔であって、該弁体を該第１の方向において変位可能に収納して該弁体による該流体通路の開閉を可能とするガイド孔と、該第１の方向に直交し且つ該流体通路を横断する第２の方向における該ガイド孔の両側において該ハウジングを貫通して設けられた一対のカムピン挿通孔と、該ガイド孔内に収納された該弁体から延出し該一対のカムピン挿通孔を通って延び、該ハウジングの外側に露出する端部を有するカムピンと、該弁操作部材に設けられ該カムピンの該端部と摺動係合するカム輪郭部とからなる弁操作カム機構であって、該弁操作部材を該ハウジング上で摺動することによる該カム輪郭部及び該カムピンとの相対的変位により該弁体を変位し該流体通路の開閉を行うようにした弁操作カム機構と、
を有する雌型管継手部材。
【請求項２】
該ハウジングが、
該第１の方向で貫通するガイド設定孔と、
該ガイド設定孔にその一端開口から挿入されて固定され、該ガイド孔を画定する筒状の弁ガイドであって、該ガイド設定孔内に挿入され固定された状態において該ガイド孔と該一対のカムピン挿通孔とを連通する一対の連通部を有する弁ガイドと、
を有する請求項１に記載の雌型管継手部材。
【請求項３】
該カムピンが、細長い一本のピンであり、該ガイド設定孔内に挿入した該弁ガイド内に収納した該弁体に対して、該カムピン挿通孔及び該連通部を通り該弁体に設けたピン保持孔を貫通して取り付けられている請求項２に記載の雌型管継手部材。
【請求項４】
該ハウジングが該ガイド設定孔を有する筒状の第１ハウジング部と、
該第１ハウジング部に同軸状にして嵌合連結される筒状の第２ハウジング部と、
を有し、
該第２ハウジング部は該第１ハウジング部に嵌合連結されることにより、該ガイド設定孔内に挿入されている該弁ガイドに係合して該弁ガイドを固定するようになされている請求項２又は３に記載の雌型管継手部材。
【請求項５】
該ガイド設定孔が、該流体通路の該長手軸線の伸長方向で相互に間隔を開けられてそれぞれ流体通路の長手軸線に対して直交するように広がる一対の設定用摺動面を有し、
該弁ガイドは、該設定用摺動面に摺動係合する一対の弁ガイド側面を有し、該弁ガイド側面の一方から他方に貫通し該ガイド孔と交差する通路開口を有し、当該弁ガイドが該ガイド設定孔内に設定された状態で、該ガイド孔は該流体通路の該長手軸線の伸長方向で相互に間隔を開けられてそれぞれ流体通路の長手軸線に対して直交するように広がる一対のガイド面を有するとともに該通路開口は該流体通路に整合するようにされ、
該弁体は、該ガイド面に摺動係合する一対の弁体側面を有する平板形状とされ、該弁体側面の一方から他方に貫通する開口を有し、該開口が該流体通路と整合する開位置と該開口が該流体通路と整合せずに該流体通路を閉じる閉位置との間で変位可能とされている請求項２乃至４のいずれか一項に記載の雌型管継手部材。
【請求項６】
該ハウジングが該ガイド設定孔を有する筒状の第１ハウジング部と、
該第１ハウジング部に同軸状にして嵌合連結される筒状の第２ハウジング部と、
を有し、
該第２ハウジング部は該第１ハウジング部に嵌合連結されることにより、該ガイド設定孔内に挿入されている該弁ガイドに係合して該弁ガイドを固定するようになされており、
該ガイド設定孔が、該流体通路の該長手軸線の伸長方向で相互に間隔を開けられてそれぞれ流体通路の長手軸線に対して直交するように広がる一対の設定用摺動面を有し、
該弁ガイドは、該設定用摺動面に摺動係合する一対の弁ガイド側面を有し、該弁ガイド側面の一方から他方に貫通し該ガイド孔と交差する通路開口を有し、当該弁ガイドが該ガイド設定孔内に設定された状態で、該ガイド孔は該流体通路の該長手軸線の伸長方向で相互に間隔を開けられてそれぞれ流体通路の長手軸線に対して直交するように広がる一対のガイド面を有するとともに該通路開口は該流体通路に整合するようにされ、
該弁体は、該ガイド面に摺動係合する一対の弁体側面を有する平板形状とされ、該弁体側面の一方から他方に貫通する開口を有し、該開口が該流体通路と整合する開位置と該開口が該流体通路と整合せずに該流体通路を閉じる閉位置との間で変位可能とされ、
該弁ガイドが該ガイド孔の両側において該通路開口にそれぞれ取り付けられたシールリングを有し、それぞれ、該弁体側面に摺動可能に密封係合し、一方のシールリングは、該第１ハウジング部に連結嵌合された該第２ハウジング部の先端と当該弁ガイドとの間で押圧され、他方のシールリングは、当該流体通路に挿入連結された雄型管継手部材の先端と当該弁ガイドとの間で押圧されるようにされている請求項２又は３に記載の雌型管継手部材。
【請求項７】
該流体通路の該一端と該ガイド孔と間において該流体通路を基準にして半径方向に該ハウジングを貫通する施錠孔と、
該施錠孔内に設定された施錠子であって、該ハウジングの内周面から半径方向内側に部分的に突出して、該流体通路内に該流体通路の該一端から連結位置まで挿入された雄型管継手部材の外周面に形成された施錠凹部に係合して該雄型管継手部材が該流体通路から抜け出るのを阻止する施錠位置と、該施錠位置よりも外側位置となり該施錠凹部から外れ該雄型管継手部材の該流体通路からの引き抜きを許容し、また、流体通路への挿入を可能とする施錠解除位置との間で変位可能な施錠子と、
該ハウジングの該内周面に沿って該長手軸線の伸長方向で摺動可能とされた筒状の施錠子保持部材であって、該施錠子の半径方向内側位置にあり該施錠子と係合して該施錠子を該施錠解除位置に保持する施錠子保持位置と、該流体通路の一端から挿入される雄型管継手部材の外周面に係合されて押し込まれ該施錠子から外れて該施錠子が該施錠位置になるのを可能とする施錠子解放位置との間で変位可能とされた施錠子保持部材と、
該ハウジングの該内周面に沿って該長手軸線の伸長方向に延びるように設定され、該施錠子保持部材を該施錠子解放位置から該施錠子保持位置に付勢するコイルバネであって、該施錠子保持部材に隣接する該コイルバネの一端に取り付けられて該一端を該ハウジングの該内周面に沿って案内するバネ端部ガイドリングを有し、該バネ端部ガイドリングが該施錠子保持部材と該長手軸線の伸長方向で当接することにより該施錠子保持部材を該施錠子保持位置に付勢するようにしてあり、該バネ端部ガイドリングは、該雄型管継手部材により該施錠子保持位置から該施錠子解放位置に変位される該施錠子保持部材によって該流体通路内を当該コイルバネを収縮しながら押し込まれるようにされているコイルバネと、
該ハウジングの外周面上で該長手軸線の伸長方向において摺動可能に設けられた施錠スリーブであって、該施錠子が該施錠位置となったときに該施錠子にその半径方向外側から係合して該施錠子を該施錠位置に押圧保持する施錠子押圧位置と、該施錠子が該施錠解除位置に変位するのを許容する施錠子押圧解除位置との間で変位可能とされている施錠スリーブと、
該施錠スリーブを該施錠子押圧位置に向けて付勢するバネ部材と
を有する請求項１乃至６のいずれか一項に記載の雌型管継手部材。
【請求項８】
該施錠スリーブが該施錠子押圧解除位置にある状態において、該弁体は該流体通路を閉止する閉位置とされ、該弁操作部材は該施錠スリーブに係合して、該流体通路を開放する開位置に該弁体を変位させるために変位するのを阻止されており、該雄型管継手部材が該流体通路に挿入されて該施錠子が該雄型管継手部材の施錠凹部に係合することにより該施錠スリーブが該施錠子押圧位置とされたたときに、該弁操作部材が該流体通路を開放する開位置に該弁体を変位させるために該ハウジングの外周面上で変位可能とされている請求項７に記載の雌型管継手部材。
【請求項９】
該弁体を変位して該流体通路を開放したときに、該施錠子押圧位置にある該施錠スリーブを該弁操作部材が覆うように該弁操作部材が形状付けられ、それにより、該流体通路を閉止する閉位置とするために当該弁操作部材が該弁体を変位しない状態では該施錠スリーブの該施錠子押圧位置から該施錠子押圧解除位置への変位を阻止するようにした請求項７又は８に記載の雌型管継手部材。
【請求項１０】
該弁体は該流体通路内の圧力を外部に逃すためのパージ孔であって、一端が当該弁体の外周面に開口し、他端が該流体通路の該一端側に面する該弁体側面に開口し、該他端は該弁体が該流体通路を閉止する閉位置にあるときに、該流体通路の該一端側に連通する位置とされ、該弁体が該流体通路を開放する開位置にあるときは、該他端が該流体通路から遮断される位置とされるようにしたパージ孔を有する請求項５又は６に記載の雌型管継手部材。
【発明の詳細な説明】
【技術分野】
【０００１】
本発明は雌型管継手部材に関し、特に、平板状の弁体が当該雌型管継手部材の流体通路に対して横断方向で変位することにより該流体通路の開閉を行うようにした弁装置を備えた雌型管継手部材に関する。
【背景技術】
【０００２】
この種の雌型管継手部材においては、弁体はその一部が当該雌型管継手部材の外側に突出するように設定されており、該突出部分を介して操作者が弁体を雌型管継手部材に対して押し込んだり戻したりすることにより流体通路の開閉を行うようにしている（特許文献１及び２）。このような雌型管継手部材においては、それが配管設備の中で取り付けられたときに、弁体の突出部分が必ずしも操作者が操作しやすい位置になるとは限らず、このため弁の開閉がしにくい状態になることがある。
【０００３】
これに対し、球形弁を備え、該球形弁の回動によって流体通路の開閉を行うようにした弁装置を備えた雌型管継手部材においては、上述のような問題を解消する手段を備えたものが開発されている（特許文献３及び４）。すなわち、この雌型管継手部材では、その外側に、当該雌型管継手部材の設定の向きに関係なく操作が可能な弁操作スリーブを取り付け、その弁操作スリーブを操作することによりカム機構を介して弁体を変位させ流体通路の開閉を行うようになっている。
【先行技術文献】
【特許文献】
【０００４】
【特許文献１】米国特許第４，３５４，６６３号
【特許文献２】ＷＯ２０１４/０５０９２９
【特許文献３】特開平１１-１０８２７９号
【特許文献４】特開２００１-１１６１７８号
【発明の開示】
【発明が解決しようとする課題】
【０００５】
本発明は、特許文献１及び２に開示されている平板形状の弁体を備えた弁装置が設けられた雌型管継手部材において、特許文献３及び４に開示されている球形弁体を備えた雌型管継手部材で採用されている弁操作機構をより簡易な構成として採用し、特許文献１及び２に示される如き雌型管継手部材における上述の問題を解消するとともに当該雌型管継手部材の組立をも容易にすることを目的としている。
【課題を解決するための手段】
【０００６】
すなわち、本発明は、
雄型管継手部材を受け入れて結合される雌型管継手部材であって、
一端から他端に貫通する流体通路を有し、雄型管継手部材を該一端から受け入れる筒状のハウジングと、
該ハウジングの該流体通路の長手軸線に対して横断する第１の方向で変位することにより該流体通路の開閉を行う弁体と、
該ハウジングの外周面の周りを囲むように設けられ該外周面上で摺動可能に取り付けられた弁操作部材と、
該ハウジングを該第１の方向で貫通して直線的に延びるガイド孔であって、該弁体を該第１の方向において変位可能に収納して該弁体による該流体通路の開閉を可能とするガイド孔と、該第１の方向に直交し且つ該流体通路を横断する第２の方向における該ガイド孔の両側において該ハウジングを貫通して設けられた一対のカムピン挿通孔と、該ガイド孔内に収納された該弁体から延出し該一対のカムピン挿通孔を通って延び、該ハウジングの外側に露出する端部を有するカムピンと、該弁操作部材に設けられ該カムピンの該端部と摺動係合するカム輪郭部とからなる弁操作カム機構であって、該弁操作部材を該ハウジング上で摺動することによる該カム輪郭部及び該カムピンとの相対的変位により該弁体を変位し該流体通路の開閉を行うようにした弁操作カム機構と、
を有する雌型管継手部材を提供する。
【０００７】
この雌型管継手部材における弁操作部材は上述の如く該ハウジングの外周面の周りを囲むように設けられるものであり、当該雌型管継手部材が配管設備の中でどのような向きに配置されようとも操作者は当該弁操作部材を操作して弁の開閉を行うことが可能となる。
【０００８】
具体的には、
該ハウジングが、
該第１の方向で貫通するガイド設定孔と、
該ガイド設定孔にその一端開口から挿入されて固定され、該ガイド孔を画定する筒状の弁ガイドであって、該ガイド設定孔内に挿入され固定された状態において該ガイド孔と該一対のカムピン挿通孔とを連通する一対の連通部を有する弁ガイドと、
を有するようにすることができる。
【０００９】
このようにすることにより、ハウジングは筒状の部材であるのに対し、該ハウジングに設けたガイド設定孔に弁ガイドを挿入固定するだけで弁体を適正にガイドするためのガイド孔を設定することを可能にする。
【００１０】
この場合、
該カムピンが、細長い一本のピンであり、該ガイド設定孔内に挿入した該弁ガイド内に収納した該弁体に対して、該カムピン挿通孔及び該連通部を通り該弁体に設けたピン保持孔を貫通して取り付けられているようにすることができる。
【００１１】
この雌型管継手部材を組み立てるには、筒状の弁ガイドのガイド孔内に該弁体を摺動可能に収納した状態でハウジングに設定し、その後でカムピンを上記のようにして設定することが出来るので当該雌型管継手部材の組立を容易にすることが可能となる。
【００１２】
より具体的には、
該ハウジングが該ガイド設定孔を有する筒状の第１ハウジング部と、
該第１ハウジング部に同軸状にして嵌合連結される筒状の第２ハウジング部と、
を有し、
該第２ハウジング部は該第１ハウジング部に嵌合連結されることにより、該ガイド設定孔内に挿入されている該弁ガイドに係合して該弁ガイドを固定するようにすることができる。
このようにすることにより、当該雌型管継手部材のより容易な組立が可能となる。
【００１３】
更に具体的には、
該ガイド設定孔が、該流体通路の該長手軸線の伸長方向で相互に間隔を開けられてそれぞれ流体通路の長手軸線に対して直交するように広がる一対の設定用摺動面を有し、
該弁ガイドは、該設定用摺動面に摺動係合する一対の弁ガイド側面を有し、該弁ガイド側面の一方から他方に貫通し該ガイド孔と交差する通路開口を有し、当該弁ガイドが該ガイド設定孔内に設定された状態で、該ガイド孔は該流体通路の該長手軸線の伸長方向で相互に間隔を開けられてそれぞれ流体通路の長手軸線に対して直交するように広がる一対のガイド面を有するとともに該通路開口は該流体通路に整合するようにされ、
該弁体は、該ガイド面に摺動係合する一対の弁体側面を有する平板形状とされ、該弁体側面の一方から他方に貫通する開口を有し、該開口が該流体通路と整合する開位置と該開口が該流体通路と整合せずに該流体通路を閉じる閉位置との間で変位可能とすることができる。
【００１４】
この場合、
該弁ガイドが該ガイド孔の両側において該通路開口にそれぞれ取り付けられたシールリングを有し、それぞれ、該弁体側面に摺動可能に密封係合し、一方のシールリングは、該第１ハウジング部に連結嵌合された該第２ハウジング部の先端と当該弁ガイドとの間で押圧され、他方のシールリングは、当該流体通路に挿入連結された雄型管継手部材の先端と当該弁ガイドとの間で押圧されるようにすることができる。
このようにすることにより弁ガイドに弁体及びシールリングを組み付けたものを一体としてハウジングに設定することができ、当該雌型管継手部材の組立がより容易になる。
【００１５】
また、以上のような雌型管継手部材においては、
該流体通路の該一端と該ガイド孔と間において該流体通路を基準にして半径方向に該ハウジングを貫通する施錠孔と、
該施錠孔内に設定された施錠子であって、該ハウジングの内周面から半径方向内側に部分的に突出して、該流体通路内に該流体通路の該一端から連結位置まで挿入された雄型管継手部材の外周面に形成された施錠凹部に係合して該雄型管継手部材が該流体通路から抜け出るのを阻止する施錠位置と、該施錠位置よりも外側位置となり該施錠凹部から外れ該雄型管継手部材の該流体通路からの引き抜きを許容し、また、流体通路への挿入を可能とする施錠解除位置との間で変位可能な施錠子と、
該ハウジングの該内周面に沿って該長手軸線の伸長方向で摺動可能とされた筒状の施錠子保持部材であって、該施錠子の半径方向内側位置にあり該施錠子と係合して該施錠子を該施錠解除位置に保持する施錠子保持位置と、該流体通路の一端から挿入される雄型管継手部材の外周面に係合されて押し込まれ該施錠子から外れて該施錠子が該施錠位置になるのを可能とする施錠子解放位置との間で変位可能とされた施錠子保持部材と、
該ハウジングの該内周面に沿って該長手軸線の伸長方向に延びるように設定され、該施錠子保持部材を該施錠子解放位置から該施錠子保持位置に付勢するコイルバネであって、該施錠子保持部材に隣接する該コイルバネの一端に取り付けられて該一端を該ハウジングの該内周面に沿って案内するバネ端部ガイドリングを有し、該バネ端部ガイドリングが該施錠子保持部材と該長手軸線の伸長方向で当接することにより該施錠子保持部材を該施錠子保持位置に付勢するようにしてあり、該バネ端部ガイドリングは、該雄型管継手部材により該施錠子保持位置から該施錠子解放位置に変位される該施錠子保持部材によって該流体通路内を当該コイルバネを収縮しながら押し込まれるようにされているコイルバネと、
該ハウジングの外周面上で該長手軸線の伸長方向において摺動可能に設けられた施錠スリーブであって、該施錠子が該施錠位置となったときに該施錠子にその半径方向外側から係合して該施錠子を該施錠位置に押圧保持する施錠子押圧位置と、該施錠子が該施錠解除位置に変位するのを許容する施錠子押圧解除位置との間で変位可能とされている施錠スリーブと、
該施錠スリーブを該施錠子押圧位置に向けて付勢するバネ部材と
を有するようにすることができる。
【００１６】
このようにすることにより雄型管継手部材が雌型管継手部材の流体通路にその一端から適正に挿入され連結位置になると、施錠子は該雄型管継手部材の施錠凹部に係合し、施錠スリーブはバネ部材によって施錠子押圧位置とされ、雄型管継手部材と雌型管継手部材との連結が完了する。
【００１７】
施錠子保持部材とバネ端部ガイドリングとを別部材としているのは、雄型管継手部材が雌型管継手部材の流体通路内に斜めになった状態で挿入された場合、施錠子保持部材とバネ端部ガイドリングとが一体になっていた場合には、その斜めになった状態で挿入される雄型管継手部材によってコイルバネが収縮されながら施錠子保持部材も施錠子保持位置から施錠子保持解除位置の方向へ変位して施錠子が施錠位置に変位して施錠スリーブによって押圧されてその施錠位置に固定されてしまい、操作者が雄型管継手部材の挿入が適正でないことに気づき雄型管継手部材をいったん流体通路から引き出しても、雄型管継手部材を再度挿入しようとした場合、そのままでは施錠位置にある施錠子が邪魔して挿入ができなくなるので、雄型管継手部材が斜めに挿入された場合にはその雄型管継手部材の先端がバネ端部（バネ端部ガイドリング）と係合してコイルバネのみが収縮されるようにし、施錠子保持部材は施錠子保持位置に留まるようにするためである。
【００１８】
この場合、
該施錠スリーブが該施錠子押圧解除位置にある状態において、該弁体は該流体通路を閉止する閉位置とされ、該弁操作部材は該施錠スリーブに係合して、該流体通路を開放する開位置に該弁体を変位させるために変位するのを阻止されており、該雄型管継手部材が該流体通路に挿入されて該施錠子が該雄型管継手部材の施錠凹部に係合することにより該施錠スリーブが該施錠子押圧位置とされたときに、該弁操作部材が該流体通路を開放する開位置に該弁部材を変位させるために該ハウジング外周面上で変位可能となるようにすることができる。
【００１９】
このようにすることにより、雄型管継手部材が雌型管継手部材に連結された状態でのみ流体通路を開放することができ管継手の連結操作を安全に行うことを可能とする。
【００２０】
また、管継手の連結解除操作を安全に行うために、該弁体を変位して該流体通路を開放したときに、該施錠子押圧位置にある該施錠スリーブを該弁操作部材が覆うように該弁操作部材が形状付けられ、それにより、該流体通路を閉止するために当該弁操作部材が該弁体を変位しない状態では該施錠スリーブの該施錠子押圧位置から該施錠子押圧解除位置への変位を阻止するようにすることもできる。
【００２１】
上記の雌型管継手部材においては、
該弁体は流体通路内の圧力を外部に逃すためのパージ孔であって、一端が当該弁体の外周面に開口し、他端が該流体通路の該一端側に面する該弁体側面に開口し、該他端は該弁体が該流体通路を閉止する位置にあるときに、該流体通路の該一端側に連通する位置とされ、該弁体が該流体通路を開放する位置にあるときは、該他端が該流体通路から遮断される位置とされるようにしたパージ孔を有するようにすることができる。
雄型管継手部材を雌型管継手部材から外すときに弁体を変位させて流体通路を閉止した状態とすることにより、雄型管継手部材内にある流体圧力はパージ孔から排出され、従って、雄型管継手部材を圧力がかからない安全な状態で雌型管継手部材から取り外すことが可能となる。
【００２２】
以下、本発明を添付図面に示した実施形態に基づき説明する。
【図面の簡単な説明】
【００２３】
【図１】図１は本発明に係る雌型管継手部材の縦断面図であり、雄型管継手部材が挿入されていない状態を示す。
【図２】図２は、同雌型管継手部材の縦断面図であり、雄型管継手部材が挿入連結された状態を示す。
【図３】図３は、同雌型管継手部材の縦断面図であり、弁体を流体通路の開位置にするために弁操作部材を軸線方向で僅かに動かした状態を示す。
【図４】図４は、同雌型管継手部材の縦断面図であり、弁体を流体通路の閉位置まで変位した状態の弁操作部材の状態を示す。
【図５】図５は同雌型管継手部材の弁ガイドの斜視図である。
【図６】図６は同雌型管継手部材の弁体の斜視図である。
【図７】図７は弁体が弁ガイド内に設定されている状態を示す斜視図である。
【図８】図８は図１に対応する同雌型管継手部材の側面図である。
【図９】図９は図４に対応する同雌型管継手部材の側面図である。
【図１０】図１０は雄型管継手部材が雌型管継手部材に挿入されつつある状態を示す図である。
【図１１】図１１は雄型管継手部材が連結された状態の雌型管継手部材を示す斜視図である。
【図１２】図１２は他の実施形態に係る雌型管継手部材に雄型管継手部材を連結した状態を示す縦断面図である。
【発明を実施するための形態】
【００２４】
図１に示すように本発明に係る雌型管継手部材１０は、その主要な構成エレメントとして、一端から他端に貫通する流体通路１２を有する筒状のハウジング１６と、流体通路１２の長手軸線Ｘを横断する第１の方向（図示の例における上下方向）Ｙに変位して弁孔１８Ａを流体通路１２に対して連通したり遮断したりして当該流体通路１２を開閉するための弁体１８と、弁体１８を操作するためにハウジング１６の周りに取り付けられ上記長手軸線Ｘの伸長方向で変位可能とされた筒状の弁操作部材２０とを有する。
【００２５】
図示のハウジング１６は、第１ハウジング部１６Ａと、第１ハウジング部１６Ａに同軸状にして螺合連結される筒状の第２ハウジング部１６Ｂとを有し、これら第１及び第２ハウジング部１６Ａ、１６Ｂの内周面１６Ａ−１、１６Ｂ−１が軸線方向で整合されて流体通路１２を画定している。第１ハウジング部１６Ａの内周面１６Ａ−１は、第２ハウジング部１６Ｂの内周面１６Ｂ−１よりも直径が大きくされて雄型管継手部材１４の先端部分１４Ａを受け入れるようにされている。すなわち、本願明細書では「流体通路」という用語を使用しているが、その一部は雄型管継手部材１４の先端部分１４Ａを受け入れて連結するための雄型管継手部材連結用部として機能している。
【００２６】
ハウジング１６は更に、第１ハウジング部１６Ａの上記第１の方向Ｙで貫通するように設けられた弁ガイド設定孔１６Ａ−２に挿入固定された弁ガイド２２を有しており、該弁ガイド２２は第１の方向Ｙで貫通するガイド孔２２Ａを有し、弁体１８はこのガイド孔２２Ａ内を第１の方向Ｙで摺動可能に設定されている。具体的には、弁ガイド設定孔１６Ａ−２は、流体通路１２の長手軸線Ｘの伸長方向で相互に間隔を開けられてそれぞれ長手軸線Ｘに対して直交するように広がる一対の設定用摺動面１６Ａ−３を有しており、弁ガイド２２は設定用摺動面１６Ａ−３に摺動係合する一対の弁ガイド側面２２Ｂを有し、また、弁ガイド側面２２Ｂの一方から他方に貫通しガイド孔２２Ａと交差する通路開口２２Ｃを有しており、該通路開口２２Ｃにおけるガイド孔２２Ａの両側にはそれぞれシールリング２２Ｄが取り付けられている。
【００２７】
より正確に述べるならば、弁ガイド２２は図５に示すような箱形の外形を有しており、図１乃至図４には明瞭には示されてはいないが、図５で見て上半部分２２Ｅが下半部分２２Ｆに比べて外形寸法が全周にわたって僅かに大きくなっており、従って、弁ガイド側面２２Ｂは上半部分２２Ｂ−１と該上半部分から僅かにずれた下半部分２２Ｂ−２とからなっている。従って、設定用摺動面１６Ａ−３も、該弁ガイド設定孔１６Ａ−２内に弁ガイド２２が設定された状態において弁ガイド側面２２Ｂのこれら上半部分の２２Ｂ−１及びと下半部分２２Ｂ−２と接する部分は相互に僅かにずれたものとなっている。換言すれば、図１で見て弁ガイド設定孔１６Ａ−２の上半部分の（上記長手軸線Ｘの伸長方向で）相互に対向する設定用摺動面１６Ａ−３の間の間隔は弁ガイド設定孔１６Ａ−２の下半部分の相互に対向する設定用摺動面１６Ａ−３の間の間隔よりも大きくなっている。これは弁ガイド２２を弁ガイド設定孔１６Ａ−２内に挿入設定するのに、弁ガイド２２を、サイズの小さい下半部分側を下にして弁ガイド設定孔１６Ａ−２のサイズの大きい上方から挿入するようにして、当該弁ガイド２２の挿入を容易に行えるようにするためである。図示の例では、このようにして弁ガイド設定孔１６Ａ−２内に挿入した弁ガイド２２は、第１ハウジング部１６Ａ内に螺合連結されて弁ガイド側面２２Ｂに設けた凹部２２Ｇに係合する第２ハウジング部１６Ｂの先端により、上記第１の方向Ｙで変位しないようにされている。
【００２８】
弁体１８は図６に示すように、弁ガイド２２のガイド孔２２Ａに対応して横断面が略矩形状の平板形状とされており、図１乃至図４の設定状態において上記長手軸線Ｘの伸長方向で相互に間隔があけられ平行とされた弁体側面１８Ｂを備え、弁孔１８Ａは弁体側面１８Ｂの一方から他方に貫通するように設けられている。
【００２９】
弁操作部材２０による弁体１８の操作は以下に述べるようなカム機構を介して行われる。すなわち、このカム機構は、弁体１８が図１乃至図４の状態にされたときに、上記第１の方向Ｙに直交し且つ流体通路１２を横断する第２の方向（図面の表裏の方向）に伸長するようにして弁体１８から延びるカムピン２４と、カムピン２４をハウジング１６の外側まで通すために上記第２の方向においてハウジング１６（具体的には第１ハウジング部１６Ａ）に設けられたカムピン挿通孔１６Ａ−４(図８、図９)及び弁ガイド２２にガイド孔２２Ａとカムピン挿通孔１６Ａ−４とを連通するように設けられた連通部２２Ｈ（図５）と、弁体１８から連通部２２Ｈ及びカムピン挿通孔１６Ａ−４を通りハウジング１６の外側に延びたカムピン２４の端部と摺動係合する、弁操作部材２０に設けられたカム輪郭部２０Ａとからなる。具体的には、連通部２２Ｈとカムピン挿通孔１６Ａ−４とは弁体１８が変位する方向（第１の方向Ｙ）に平行に直線的に設けられ上記第２の方向において相互に整合された細長い孔とされ、これに対してカム輪郭部２０Ａは弁操作部材２０を貫通して延び図１乃至図４でみて連通部２２Ｈ及びカムピン挿通孔１６Ａ−４に対して斜めに直線的に延びる孔とされており、該孔にカムピン２４の端部が摺動可能に係合されるようにされている。すなわち、弁操作部材２０を長手軸線Ｘの伸長方向で変位させることにより、カムピン２４の端部はカム輪郭部２０Ａとしての孔内を摺動し、弁操作部材２０の変位方向（すなわち長手軸線Ｘの伸長方向）とは直交する上記第１の方向Ｙに変位させられる。
【００３０】
図示の例においては、雌型管継手部材１０は挿入される雄型管継手部材１４を固定連結するための施錠装置が設けられている。すなわち、この施錠装置は、図１乃至図４に示すように、流体通路１２の右端と弁孔１８Ａと間において流体通路１２を基準にしてハウジング１６を半径方向に貫通する施錠孔１６Ｃと、施錠孔１６Ｃ内に設定された球状の施錠子１６Ｅであって、第１ハウジング部１６Ａの内周面１６Ａ−１から半径方向内側に部分的に突出して、流体通路１２内に挿入された雄型管継手部材１４の外周面１４Ｂに形成された施錠凹部１４Ｃに係合して雄型管継手部材１４が流体通路１２から抜け出るのを阻止する施錠位置（図２〜図４）と、該施錠位置よりも外側位置となり施錠凹部１４Ｃから外れ雄型管継手部材１４の流体通路１２からの引き抜きを許容し、また、流体通路１２への挿入を可能とする施錠解除位置（図１）との間で変位可能な施錠子１６Ｅと、第１ハウジング部１６Ａの内周面１６Ａ−１に沿って長手軸線Ｘの伸長方向で摺動可能とされた筒状の施錠子保持部材１６Ｆであって、施錠子１６Ｅの半径方向内側位置にあり施錠子１６Ｅと係合して施錠子１６Ｅを施錠解除位置（図１）に保持する施錠子保持位置（図１）と、流体通路１２の右端から挿入される雄型管継手部材１４に係合されて流体通路１２に押し込まれ施錠子１６Ｅから外れて施錠子１６Ｅが施錠位置（図２〜図４）になるのを可能とする施錠子解放位置（図２〜図４）との間で変位可能とされた施錠子保持部材１６Ｆと、第１ハウジング部１６Ａの内周面１６Ａ−１に沿って長手軸線Ｘの伸長方向に延びるように設定され、施錠子保持部材１６Ｆを施錠子解放位置（図２〜図４）から施錠子保持位置（図１）に付勢するコイルバネ１６Ｈであって、施錠子保持部材１６Ｆに隣接するコイルバネ１６Ｈの一端（右端）に取り付けられて該一端をハウジング１６の内周面に沿って案内するバネ端部ガイドリング１６Ｊを有し、バネ端部ガイドリング１６Ｊが施錠子保持部材１６Fと長手軸線Ｘの伸長方向で当接することにより施錠子保持部材１６Ｆを施錠子保持位置（図１）に付勢するようにしてあり、バネ端部ガイドリング１６Ｊは、雄型管継手部材１４により施錠子保持位置（図１）から施錠子解放位置（図２〜図４）に変位される施錠子保持部材１６Ｆによって流体通路１２内を当該コイルバネ１６Ｈを収縮しながら押し込まれるようにされているコイルバネ１６Ｈと、第１ハウジング部１６Ａの外周面１６Ａ−５上で長手軸線Ｘの伸長方向において摺動可能に設けられた施錠スリーブ１６Ｄであって、施錠子１６Ｅが施錠位置（図２〜図４）となった時に施錠子１６Ｅにその半径方向外側から係合して施錠子１６Ｅを施錠位置（図２〜図４）に押圧保持する施錠子押圧位置（図２〜図４）と、施錠子１６Ｅが施錠解除位置に変位するのを許容する施錠子押圧解除位置（図１）との間で変位可能とされている施錠スリーブ１６Ｄと、施錠スリーブ１６Ｄを施錠子押圧位置（図２〜図４）に向けて付勢するバネ部材（コイルバネ）１６Ｌとを有する。第１ハウジング部１６Ａの内周面１６Ａ−１におけるコイルバネ１６Ｈの左端の位置には該コイルバネの左端を保持するための保持リング１６Ｋが設けられており、該保持リング１６Ｋ��シールリング２２Ｄに当接して該シールリング２２Ｄをも保持している。この施錠装置においては、雄型管継手部材１４が雌型管継手部材１０内に挿入されると、該雄型管継手部材１４によって施錠子保持部材１６Ｆが押し込まれ、施錠子１６Ｅが施錠凹部１４Ｃに嵌合すると、施錠スリーブ１６Ｄはバネ部材１６Ｌによって施錠子押圧位置（図２〜図４）に変位して施錠子１６Ｅの施錠凹部１４Ｃとの嵌合を保持し、雄型管継手部材１４と雌型管継手部材１０との連結を保持する。
【００３１】
この種の施錠装置ではバネ端部ガイドリング１６Ｊを施錠子保持部材１６Ｆと一体的に形成して１つの部材として形成するのが一般的である。しかし、このようにすると図１０に示すように雌型管継手部材１０に挿入される雄型管継手部材１４が、その先端がバネ端部ガイドリング１６Ｊに相当する部分と係合する程に斜めになった不適正な状態で挿入された場合、挿入途中で操作者がそのことに気づき、当該雄型管継手部材１４を急に引き抜くことがあり、そのような場合、施錠子保持部材１６Ｆがバネ端部ガイドリング１６Ｊと一体的に形成されている施錠子保持部材１６Ｆもバネ端部ガイドリング１６Ｊと一緒に押し込まれていたために施錠子１６Ｅが施錠子保持部材１６Ｆから外れて半径方向内側に変位してしまっており、雄型管継手部材１４を雌型管継手部材１０から抜いた状態では、施錠子１６Ｅがそのままの半径内側に変位し施錠スリーブ１６Ｄによって半径方向外側から押圧された状態となっており、そのままの状態では、雄型管継手部材１４を再度雌型管継手部材１０内に挿入することが出来なくなる。本発明においては、バネ端部ガイドリング１６Ｊと施錠子保持部材１６Ｆとを別部材としていることにより、そのような問題を回避することが可能となる。
【００３２】
図示の実施形態においては、施錠スリーブ１６Ｄが施錠子押圧解除位置（図１）にあるときは、弁操作部材２０は施錠スリーブ１６Ｄに係合して変位するのを阻止されて弁体１８を流体通路開放位置に変位するのを阻止されており、雄型管継手部材１４が流体通路１２に挿入されて施錠スリーブ１６Ｄが雄型管継手部材１４の施錠凹部１４Ｃに係合することにより施錠スリーブ１６Ｄが施錠子押圧位置（図２〜図４）とされたたときに、弁操作部材２０が弁体１８を流体通路開放位置に変位するために変位可能とされている。
【００３３】
また、図示の実施形態においては、弁体１８は流体通路１２内の圧力を外部に逃すためのパージ孔２６を有する。該パージ孔２６は、一端２６Ａが弁体１８の外周面に開口し、他端２６Ｂが流体通路１２の右端側に面する弁体側面１８Ｂに開口している。該他端２６Ｂは弁体１８が流体通路１２を閉止する閉位置（図１、図２）にあるときには、流体通路１２の右端側に連通する位置とされ、弁体１８が流体通路１２を開放する開位置（図３、図４）にあるときは、該他端２６Ｂが流体通路１２から遮断される位置とされるようになされている。
【００３４】
本発明に係る雌型管継手部材１０を組み立てるときは、弁ガイド２２のガイド孔２２Ａ内に弁体１８を設定し、通路開口２２Ｃの両端にシールリング２２Ｄを設定した状態で当該弁ガイド２２を第１ハウジング部１６Ａの弁ガイド設定孔１６Ａ−２内に挿入する。その状態で第２ハウジング部１６Ｂを第１ハウジング部１６Ａに螺合連結し、その先端が弁ガイド２２の凹部２２Ｇに係合するようにして弁ガイド２２を固定するとともに左側のシールリング２２Ｄに密封係合するようにする。次にカムピン２４を、弁操作部材２０のカム輪郭部２０Ａとしての一方の傾斜した孔を通して、該孔に隣接する第１ハウジング部１６Ａの一方のカムピン挿通孔１６Ａ−４及び該カムピン挿通孔１６Ａ−４に隣接する弁ガイド２２の通路開口２２Ｃを通し、弁体１８に設けられているピン保持孔１８Ｃを貫通して、当該カムピン２４の先端が反対側のカム輪郭部２０Ａとしての傾斜した孔内に達するようにする。
【００３５】
図１２は、本発明の他の実施形態に係る雌型管継手部材１０を示している。この雌型管継手部材１０は雄型管継手部材１４が接続されて施錠子１６Ｅが施錠凹部１４Ｃに嵌合され、施錠スリーブ１６Ｄがコイルバネ１６Ｌにより施錠子押圧解除位置から図面で見て右方へ動かされて図示の通りの施錠子押圧位置となった状態で、弁操作部材２０を右方に変位して弁体１８を閉位置から開位置としたときに、図示のように当該弁操作部材２０が施錠スリーブ１６Ｄを覆うようにされていることを特徴としている。このようにすることにより、弁操作部材２０を図示の位置から左方に変位して弁体１８を閉位置から開位置にしたときでない限り、施錠スリーブ１６Ｄを施錠子押圧位置から施錠子押圧解除位置に動かして雄型管継手部材１４を雌型管継手部材１０から引き離すことが出来ないようにすることができる。
【００３６】
以上、本発明の実施形態に係る雌型管継手部材１０につき述べたが、本発明はこれに限定されるものではない。例えば、カム輪郭部２０Ａはカムピン２４の先端と摺動係合して当該カムピン２４を上述の第１の方向Ｙで変位させるようなものであればどのような構成のものでもよい。
【符号の説明】
【００３７】
長手軸線Ｘ；第１の方向（図示の例における上下方向）Ｙ；雌型管継手部材１０；流体通路１２；雄型管継手部材１４；外周面１４Ｂ；施錠凹部１４Ｃ；ハウジング１６；第１ハウジング部１６Ａ；内周面１６Ａ−１；弁ガイド設定孔１６Ａ−２；設定用摺動面１６Ａ−３；カムピン挿通孔１６Ａ−４；外周面１６Ａ−５；第２ハウジング部１６Ｂ；内周面１６Ｂ−１；施錠孔１６Ｃ；施錠スリーブ１６Ｄ；施錠子１６Ｅ；施錠子保持部材１６Ｆ；コイルバネ１６Ｈ；バネ端部ガイドリング１６Ｊ；保持リング１６Ｋ；バネ部材（コイルバネ）１６Ｌ；弁体１８；弁孔１８Ａ；弁体側面１８Ｂ；ピン保持孔１８Ｃ；弁操作部材２０；カム輪郭部２０Ａ；弁ガイド２２；ガイド孔２２Ａ；弁ガイド側面２２Ｂ；上半部分２２Ｂ−１；下半部分２２Ｂ−２；通路開口２２Ｃ；シールリング２２Ｄ；上半部分２２Ｅ；下半部分２２Ｆ；凹部２２Ｇ；連通部２２Ｈ；カムピン２４；パージ孔２６；一端２６Ａ；他端２６Ｂ
【図１】
0006300688.tif 000002
【図２】
0006300688.tif 000003
【図３】
0006300688.tif 000004
【図４】
0006300688.tif 000005
【図５】
0006300688.tif 000006
【図６】
0006300688.tif 000007
【図７】
0006300688.tif 000008
【図８】
0006300688.tif 000009
【図９】
0006300688.tif 000010
【図１０】
0006300688.tif 000011
【図１１】
0006300688.tif 000012
【図１２】
0006300688.tif 000013